(57)【要約】【課題】検出スイッチを貯留部に対して簡単に着脱し得るようにし、交換等の際の作業性を向上する。【解決手段】球タンク１８に、球感知操作部材２６,２６が傾動自在に配設されたケース部材２８が着脱自在に配設される。このケース部材２８に内部画成された収容空間部に対応する球タンク１８の前壁面４２に、該空間部を外部と連通する開口部４２ａが開設される。球タンク１８内の貯留球の有無を検出する検出スイッチ３０は、取付けベース部材３２に着脱自在に係合保持される。この取付けベース部材３２は、開口部４２ａを介して収容空間部に収容セットされる。そして、検出スイッチ３０を交換する場合は、取付けベース部材３２を収容空間部から抜き出すことで、該ベース部材３２に係合保持されている検出スイッチ３０を外部で交換することができる。【選択図】図１
2006116354.tif 000002
【特許請求の範囲】
【請求項１】
遊技機裏側の機構セット盤に設けられた貯留部に配設され、該貯留部内における貯留球の球圧を受けない第１位置と該球圧を受けた第２位置とに変動する球感知操作部材と、該球感知操作部材の変動に応じて操作されて作動変化することで貯留球の有無を検出し得る検出スイッチとを備える遊技機において、
前記検出スイッチを係合保持する保持部を有する取付けベース部材と、
前記貯留部内に画成されて前記検出スイッチを係合保持している状態の前記取付けベース部材が収容セット可能で、かつ前記球感知操作部材に形成された操作部が位置する収容空間部と、
前記収容空間部に対応する貯留部の壁面に開設されて外部と収容空間部とを連通し、前記取付けべース部材が挿脱可能な開口部とからなり、
前記検出スイッチを係合保持した取付けべース部材を開口部から前記収容空間部に挿入して収容セットすることで、該検出スイッチの検出部が、前記球感知操作部材の操作部で操作可能な位置に位置決めされるよう構成されている
ことを特徴とする遊技機における検出スイッチの取付構造。
【請求項２】
前記取付けベース部材には、係止部が設けられた弾性変形可能な操作摘み片が形成され、該係止部が、前記貯留部の開口部に形成された被係止部に係脱可能に係止されるよう構成される請求項１記載の遊技機における検出スイッチの取付構造。
【発明の詳細な説明】
【技術分野】
【０００１】
この発明は、遊技機における検出スイッチの取付構造に関し、更に詳しくは、遊技機裏側の機構セット盤に設けられた貯留部に対し、該貯留部内に貯留される貯留球の有無を検出可能な検出スイッチを取付けるための取付構造に関するものである。
【背景技術】
【０００２】
パチンコ機やアレンジボール機に代表されるこの種の遊技機は、遊技ホール内の設置枠台(通称「島」)に縦向きの姿勢で設置されて遊技に供され、そして機内の遊技盤内で展開されるパチンコゲーム中に成立した入賞(例えばセーフ球の発生や図柄組合わせによる得点)に対する賞品として、機裏側の機構セット盤に形成配置された球容器(球タンク)に貯留された所定数の遊技球(貯留球)を、払出し装置の作動のもとに機前側の球皿側へ供給するようになっている。
【０００３】
前記遊技機においては、前記払出し装置による賞球払出しにより、前記球タンク内の貯留球が減少すると、該球タンク内に新たに遊技球を補充する必要があり、このために貯留球の減少,有無を検出するための貯留球検出装置が球タンクに設置されている。この貯留球検出装置としては、検出部を有する検出スイッチと、傾動可能に支持されて球有りに対する第１の位置および球無しに対する第２の位置を姿勢変化する球感知操作部材と、該操作部材を常に第２の位置に付勢する付勢手段とを、球タンクに着脱可能に保持されるケースに組付けセットされるものが提案されている(例えば、特許文献１参照)。
【特許文献１】特開２０００−１３５３５２号公報
【発明の開示】
【発明が解決しようとする課題】
【０００４】
前記特許文献１に開示の貯留球検出装置は、組付け時や交換作業においては、ケース毎にユニット単位で取扱い得るようになっているから、その取扱いが容易になると共に、組付け作業工程の合理化や時間短縮化を図り得る点で、それなりに高く評価し得る。
【０００５】
しかし、遊技店等において検出スイッチが接触不良等により交換作業を要する場合には、ユニット毎の交換またはケース体から検出スイッチを取出して交換しなければならなかったため、その交換作業が煩わしいと云う問題が指摘される。また、ユニット毎の全てを交換する場合にはコストが嵩む難点がある。
【０００６】
すなわち本発明は、前述した従来の技術に内在している前記課題に鑑み、これを好適に解決するべく提案されたものであって、検出スイッチを貯留部に対して簡単に着脱し得るようにし、交換等の際の作業性を向上し得る遊技機における検出スイッチの取付構造を提供することを目的とする。
【課題を解決するための手段】
【０００７】
前記課題を克服し、所期の目的を好適に達成するため、本発明に係る遊技機における検出スイッチの取付構造は、
遊技機裏側の機構セット盤(C)に設けられた貯留部(18,20)に配設され、該貯留部(18,20)内における貯留球(16)の球圧を受けない第１位置と該球圧を受けた第２位置とに変動する球感知操作部材(26)と、該球感知操作部材(26)の変動に応じて操作されて作動変化することで貯留球(16)の有無を検出し得る検出スイッチ(30)とを備える遊技機において、
前記検出スイッチ(30)を係合保持する保持部(62)を有する取付けベース部材(32)と、
前記貯留部(18,20)内に画成されて前記検出スイッチ(30)を係合保持している状態の前記取付けベース部材(32)が収容セット可能で、かつ前記球感知操作部材(26)に形成された操作部(26b)が位置する収容空間部(34)と、
前記収容空間部(34)に対応する貯留部(18,20)の壁面(42)に開設されて外部と収容空間部(34)とを連通し、前記取付けべース部材(32)が挿脱可能な開口部(42a)とからなり、
前記検出スイッチ(30)を係合保持した取付けべース部材(32)を開口部(42a)から前記収容空間部(34)に挿入して収容セットすることで、該検出スイッチ(30)の検出部(30b)が、前記球感知操作部材(26)の操作部(26b)で操作可能な位置に位置決めされるよう構成されていることを特徴とする。
【０００８】
なお、前記取付けベース部材(32)に、係止部(60a)が設けられた弾性変形可能な操作摘み片(60)を形成し、該係止部(60a)が、前記貯留部(18,20)の壁面(42)に形成された被係止部(42b)に係脱可能に係止するようにしてもよい。
【発明の効果】
【０００９】
本発明に係る請求項１の遊技機における検出スイッチの取付構造によれば、貯留球の有無を検出する検出スイッチを係合保持した取付けベース部材を、貯留部の壁面に開設した開口部から収容空間部に挿入して収容セットすることで、該検出スイッチを貯留部に配設した球感知操作部材により操作可能な位置に容易に位置決めすることができる。すなわち、検出スイッチの取付けおよび取外しは、貯留部の開口部に対して取付けベース部材を挿脱するだけの簡単な操作で行なうことができるから、該スイッチの交換作業を簡素化し得る。また、検出スイッチを取付けベース部材から取外すことで単体で取扱うことができるから、該検出スイッチのみを交換することができ、交換に際してのコストの上昇を抑制し得る。
【００１０】
請求項２の取付構造によれば、取付けベース部材には操作摘み片が形成されているから、該取付けべース部材の取付けおよび取外しに際して、作業者は操作摘み片を持って容易に取扱うことができる。また、弾性変形可能な操作摘み片に係止部を形成したので、貯留部の開口部に形成した被係止部に弾性を利用して確実に係止させることができ、ビス等の固定手段を使用することなく取付けベース部材、すなわち検出スイッチを確実に取付けることができる。また、検出スイッチの交換に際しては、係止部と被係止部との係止状態を解除して取付けベース部材を開口部から引抜くことで、検出スイッチを容易に取外すことができ、作業性が向上する。
【発明を実施するための最良の形態】
【００１１】
遊技機裏側の機構セット盤に設けられた貯留部内に、貯留球の有無を検出し得る検出スイッチを係合保持している取付けベース部材が収容セット可能で、かつ該貯留部に配設された球感知操作部材に形成された操作部が位置する収容空間部を画成する。前記収容空間部に対応する貯留部の壁面に、外部と収容空間部とを連通し、前記取付けベース部材が挿脱可能な開口部を開設する。そして、前記検出スイッチを係合保持した取付けベース部材を開口部から前記収容空間部に挿入して収容セットすることで、該検出スイッチの検出部が、前記球感知操作部材の操作部で操作可能な位置に位置決めされるよう構成する。
【実施例】
【００１２】
次に、本発明に係る遊技機における検出スイッチの取付構造につき、好適な実施例を挙げて添付図面を参照しながら、以下詳細に説明する。なお本実施例では、機裏側の貯留球を、パチンコゲーム中の入賞成立(セーフ球発生)に対する賞球として払出し得る一方、遊技用の球貸し操作に対する貸し球として払出し得るタイプの遊技機としてのパチンコ機を例として示す。
【００１３】
そこで、先ず本実施例に係る検出スイッチの取付構造が実施されるパチンコ機について、図２を参照しながら要約説明する。本実施例のパチンコ機Ｐは、その基本的な構成として、固定用の外郭枠とされる外枠Ａの開口前面側に、開閉用の搭載枠とされる中枠Ｂが、図示しない連結支持手段および施錠手段等を利用して着脱および開閉可能に組付けられている。そして、この中枠Ｂの前面側に、横開き式のガラス扉を組付けた窓枠と、このガラス扉の下部において窓枠に対して着脱および開閉可能に組付けられる開閉セット盤の前側にセットされた上球皿および裏側にセットされた電動式の球送り装置と、下段に位置する下球皿および打球発射装置等(何れも図示せず)が組付けられると共に、該中枠Ｂの裏側に機構セット盤Ｃが装備されている。また中枠Ｂには、所要の遊技領域を構成した遊技盤Ｄが着脱交換可能にセットされる。なお、貸し球の払出し制御に必要とされる図示しない球貸しユニット(カバー式)は、パチンコ機Ｐの側方(外枠Ａの隣接部位)に設置されて各電子制御部と接続されるようになっている。
【００１４】
前記機構セット盤Ｃには、遊技盤裏面の点検用の窓口１０が開口されると共に、この窓口１０の外周囲部裏面に遊技球(貯留球)１６の球貯留供給部１２が配設されている。また球貯留供給部１２の下端部に、カセット形態とされる電動制御式の払出し装置１４が設置される一方、この払出し装置１４の下方に賞球または貸し球を上下の球皿へ排出する賞球排出経路(図示せず)が形成されており、前記球貯留供給部１２に貯留された所定数の遊技球１６が、払出し装置１４の作動により賞球または貸し球として払出されるようになっている。なお、球貯留供給部１２に関する以後の説明において「前後」,「左右」とは、パチンコ機Ｐを図２に示すように裏側から視た状態において指称するものとする。
【００１５】
前記球貯留供給部１２は、機構セット盤Ｃの上部に設置される貯留部としての球タンク１８と、この球タンク１８における底面の下流端(左端)に開設された球出口１８ａに連通するよう下部に取着される斜状レール形の貯留部としての整流樋２０と、この整流樋２０の下流端(右端)に連絡するように形成された送出路２２とから構成され、相当量の遊技球１６を収容(貯留)し得るようになっている。なお実施例の整流樋２０は、幅方向(前後方向)の中央部で上方へ突出しかつ長手方向(左右方向)へ延在する仕切板２０ａにより、遊技球１６を２列整列状態で送出路２２へ送出案内する２つの球通路を並設した「４条タイプ」が例とされ、一方の球通路を賞球用、他方の球通路を貸し球用として実施される。なお、これに伴い、球タンク１８の前記球出口１８ａも、両球通路に対応する幅広に開口形成され、また前記送出路２２も４条タイプとして形成される。
【００１６】
前記球タンク１８における前記球出口１８ａが形成される左端側(一端側)の左壁面２４に、貯留球(遊技球)１６の球圧を受けない第１位置と該球圧を受けた第２位置とに変動する球感知操作部材２６,２６を備えるケース部材２８が着脱自在に配設されている。このケース部材２８は、貯留球(遊技球)１６の有無を検出し得る後述する検出スイッチ３０を保持した取付けベース部材３２が収容セット可能な収容空間部３４を内部画成した左側方に開口する方形バケット状に樹脂成形される。またケース部材２８の内部には、図６および図７に示す如く、前後方向に延在する支軸３６が配設され、該支軸３６に、前記整流樋２０の両球通路に対応して２つの球感知操作部材２６,２６が前後に並列状態で回動自在に支持されている。更に、ケース部材２８には、前記各球感知操作部材２６の後述する球受け部２６ｃをケース部材２８の下部外方へ延出させる横長の第１開口部２８ａが支軸３６の下方に形成されると共に、前記検出スイッチ３０を保持した状態の取付けベース部材３２の挿通を許容する第２開口部２８ｂが前壁３８に形成されている。
【００１７】
前記球タンク１８の内部前後寸法は、ケース部材２８の外部前後寸法と略同一に設定され、該ケース部材２８の開口している左側端を球タンク１８の左壁面２４の内側に当接した状態で、該ケース部材２８を球タンク１８に収納することで、前後方向の位置決めがなされるよう構成される。また、球タンク１８の底面には、前記球出口１８ａを避けた位置に所定高さで立上がる規制突部４０が突設されており、該規制突部４０と左壁面２４との離間間隔が、ケース部材２８の外部左右寸法と略同一に設定されており、規制突部４０と左壁面２４とによりケース部材２８の左右方向の位置決めがなされるようになっている。更に、球タンク１８の前後の壁面４２,４４の内側に、図１に示す如く、上下方向に延在する規制突条４６,４６が左壁面２４から所定間隔離間して形成され、各規制突条４６と左壁面２４との間に画成される溝部に、ケース部材２８の前後の壁３８,４８に形成した突片５０,５０が嵌合して位置決めされるよう構成される。更にまた、球タンク１８の左壁面２４における後部側(機構セット盤側)に被係合凹部５１が形成されると共に、該被係合凹部５１に係脱可能な係合突部５２ａが形成された弾性変形可能な操作片５２がケース部材２８の対応箇所に形成されている。すなわち、ケース部材２８を球タンク１８に収納状態で配設した際に、係合突部５２ａが被係合凹部５１に係合することで、ケース部材２８の脱落を防止するよう構成される。なお、実施例では、球タンク１８の左壁面２４、前後の壁面４２,４４の内側に形成された規制突条４６,４６および底面に形成された規制突部４０とから、ケース部材２８の取付部が構成してある。
【００１８】
前記球タンク１８の前壁面(壁面)４２には、該タンク１８に配設されたケース部材２８の前記第２開口部２８ｂと対応する位置に、前記収容空間部３４と外部とを連通する開口部４２ａが開設され、該開口部４２ａを介して検出スイッチ３０が保持されている取付けベース部材３２が収容空間部３４に対して挿脱し得るよう構成される。また前壁面４２には、図３に示す如く、開口部４２ａに近接して被係止部４２ｂが形成され、該被係止部４２ｂに、取付けべース部材３２に設けられた後述する係止部６０ａが係脱可能に係止されるようになっている。
【００１９】
前記各球感知操作部材２６は、図４および図５に示すように、前記支軸３６に上下縦向き状態で支持され、該支軸３６が貫通する支持孔を形成したボス部２６ａを中心にして、このボス部２６ａから左側方へ延出して前記収容空間部３４に位置する操作部２６ｂと、前記ボス部２６ａから下方へ延出して貯留球(遊技球)１６の圧力を受ける球受け部２６ｃとが一体成形され、該操作部２６ｂにより前記検出スイッチ３０の後述するアクチュエータレバー３０ｂを押圧操作するよう構成される。また前記ボス部２６ａには、左側方へ延出する掛止部２６ｄが一体成形され、該掛止部２６ｄと、ケース部材２８の底壁５３に形成された掛止爪５３ａとの間に付勢部材としてのコイルバネ５４が弾力的に掛けられて、該コイルバネ５４により、常には掛止爪５３ａと掛止部２６ｄとが互いに引き合うよう付勢されている。これにより、前記ボス部２６ａから左側方に延出する操作部２６ｂおよび操作部２６ｂとは略直角の関係でボス部２６ａから下方に延出する前記球受け部２６ｃの下端が、球タンク１８における遊技球の流下方向上流側に変位する第１位置(図４の状態)に、当該球感知操作部材２６が付勢されるようになっている。
【００２０】
前記ケース部材２８の底壁５３には、前記第１開口部２８ａに近接する位置で立上がる立上がり部５６が形成されると共に、該立上がり部５６の上端に左側方(球タンク１８の一端側)に向けて底壁５３と平行に延在する案内部５６ａが、前記取付けベース部材３２の挿脱方向に沿って形成されており、該案内部５６ａは、収容空間部３４に対して取付けベース部材３２を挿脱する際に該ベース部材３２を案内するベく機能する。なお、底壁５３と案内部５６ａとにより、取付けベース部材３２、すなわち検出スイッチ３０の上下方向の位置決めを行なうようになっている。またケース部材２８における底壁５３には、取付けべース部材３２の後方移動(機構セット盤Ｃ側への移動)を規制する位置決め片５３ｂが突設され、該位置決め片５３ｂに取付けベース部材３２の後端(挿入方向の前側端)が当接することで、収容空間部３４に対して取付けベース部材３２が定位置で位置決めされるよう構成される。
【００２１】
前記球タンク１８内における貯留球(遊技球)１６の有無を検出する前記検出スイッチ３０は、図８に略示するように、本体３０ａに検出部としてのアクチュエータレバー３０ｂおよび接点３０ｃを有する常開タイプのマイクロ(リミット)スイッチが使用されて、前記球感知操作部材２６における各操作部２６ｂ,２６ｂによる直接押圧操作により、該アクチュエータレバー３０ｂと共に接点３０ｃが弾性付勢力をもって出没変位してオン・オフするように設定されている。すなわちこの検出スイッチ３０は、図５および図７のように、球感知操作部材２６の操作部２６ｂによるアクチュエータレバー３０ｂの操作前(球有状態)では接点３０ｃが開いて電流がオフとなり、図４および図６のように、一方の球感知操作部材２６の操作部２６ｂがアクチュエータレバー３０ｂを操作している状態(球無状態)では、接点３０ｃが閉じて電流がオン状態となり、球無し信号が発信される。そして、この検出スイッチ３０は、図示しない配線を介してパチンコ機Ｐに設けられた制御装置(図示せず)に電気的に接続されるようになっている。なお、制御装置は、検出スイッチ３０から球無し信号が入力されたときに、パチンコ機Ｐ前側に配設されたランプや警報器等の報知手段を作動し、遊技者やパチンコホールの店員に球無し状態が発生したことを報知するよう構成される。
【００２２】
前記検出スイッチ３０が着脱自在に配設される取付けベース部材３２は、図８に示す如く、底板５８ａの一側縁に側板５８ｂを立設した逆Ｌ字状の本体部５８と、側板５８ｂの前端縁に形成されて前方に所定長さで延出する弾性変形可能な操作摘み片６０とから基本的に構成される。また側板５８ｂには、底板５８ａの上方に延出する保持部としての２本の保持ピン６２,６２が突設され、前記検出スイッチ３０の本体３０ａに形成した通孔３０ｄ,３０ｄに該保持ピン６２,６２を挿通することで、当該取付けベース部材３２に検出スイッチ３０が、そのアクチュエータレバー３０ｂが上側に臨む状態で係合保持されるようになっている(図３参照)。そして、検出スイッチ３０が係合保持された取付けべース部材３２は、前記球タンク１８に形成された開口部４２ａを介して外部から前記収容空間部３４に対して挿脱可能に構成され、該収容空間部３４に収容セットされた状態で、図７に示す如く、検出スイッチ３０のアクチュエータレバー３０ｂが、前記両球感知操作部材２６,２６における操作部２６ｂ,２６ｂの下方に臨むよう位置決めされる。なお、前記操作摘み片６０の外側(底板５８ａから離間する側)に、前記球タンク１８に形成された被係止部４２ｂに係脱可能に係止される係止部６０ａが設けられ、取付けベース部材３２が前記位置決め片５３ｂに当接して移動規制されたときに、該係止部６０ａが被係止部４２ｂに係止されることで、当該取付けべース部材３２の収容空間部３４からの脱落が防止されるよう構成してある。
【００２３】
〔実施例の作用〕
次に、前述のように構成された実施例に係る遊技機における検出スイッチの取付構造の作用につき説明する。前記球感知操作部材２６,２６を支軸３６に軸支すると共に、各掛止部２６ｄと掛止爪５３ａとの間にコイルバネ５４を夫々掛けた状態の前記ケース部材２８を、前記球タンク１８に対して上方から収納する。このとき、ケース部材２８における前後の突片５０,５０が球タンク１８の前後内側に形成された対応する溝部に嵌合すると共に、その前後および左右が、球タンク１８の左壁面２４、規制突部４０および前後の壁面４２,４４に当接して位置規制され、該ケース部材２８は球タンク１８に対してがたつきのない状態で好適に位置決めされる。また、ケース部材２８の操作片５２に形成された係合突部５２ａが、球タンク１８の被係合凹部５１に係合することで、ケース部材２８の球タンク１８からの脱落は確実に防止される。この状態で、一方の球感知操作部材２６の球受け部２６ｃが前記整流樋２０における一方の球通路に臨み、他方の球感知操作部材２６の球受け部２６ｃが他方の球通路に臨んだ状態となる。
【００２４】
次に、前記検出スイッチ３０が保持ピン６２,６２を介して係合保持された前記取付けベース部材３２を、前記操作摘み片６０を持って、前記球タンク１８の開口部４２ａから内部に挿入する。この取付けべース部材３２は、前記ケース部材２８における底壁５３および案内部５６ａで上下端部が案内されつつ前記収容空間部３４に収容され、該ベース部材３２の後端が前記位置決め片５３ｂに当接して挿入(移動)が規制されると共に、操作摘み片６０の係止部６０ａが球タンク１８の被係止部４２ｂに係止されることで、収容空間部３４に収容セットされる。このとき、図６に示す如く、ケース部材２８に配設されて収容空間部３４に位置する両球感知操作部材２６,２６の操作部２６ｂ,２６ｂの下方に、前記検出スイッチ３０のアクチュエータレバー３０ｂが位置決めされ、該操作部２６ｂ,２６ｂによりオン・オフ操作可能な状態となる。なお、検出スイッチ３０の前端(開口部４２ａを向く端)に接続される配線は、前記開口部４２ａから外部に導出して制御装置に電気的に接続される。
【００２５】
前述したようにして球タンク１８に検出スイッチ３０が配設されたパチンコ機Ｐにおいて、図示しない球補給設備から遊技球１６が供給される前、すなわち球タンク１８内に貯留球(遊技球)１６が全く無い状態においては、球受け部２６ｃは貯留球(遊技球)１６の圧力を受けないので、両球感知操作部材２６,２６は、対応のコイルバネ５４による付勢力のもとに第１位置に保持されて、操作部２６ｂが検出スイッチ３０側へ変位してアクチュエータレバー３０ｂに対する操作状態となって「球無し(オン)条件」とされる(図４参照)。従って、検出スイッチ３０からの球無し信号が制御装置に入力され、前記報知手段が作動することで、パチンコホールの店員は、球タンク１８が現在は球無し状態であることを覚知することができる。
【００２６】
球補給設備から球タンク１８内へ供給された遊技球１６は、底面上を転動しながら球出口１８ａ側へ移動し、整流樋２０の両球通路へ流入し、送出路２２の下端部から順次貯留される。そして、送出路２２から整流樋２０に亘って順次貯留された遊技球１６は、両球通路の上流部から球タンク１８の球出口１８ａを介して球タンク１８内へ貯留されるに至る。この際に、球出口１８ａ付近に貯留された遊技球１６の重量により、両球通路の上端部に貯留した遊技球１６が球感知操作部材２６,２６側へ押され、各球受け部２６ｃに圧力が加わる。これにより、両球感知操作部材２６,２６は、図５および図７に示すように、コイルバネ５４の付勢力に抗して各球受け部２６ｃの下端が球タンク１８における遊技球の流下方向下流側へ変位する第２位置へ共に揺動変位し、検出スイッチ３０のアクチュエータレバー３０ｂが非操作状態となって「球有り(オフ)条件」とされる。従って、前記制御装置には球無し信号が入力されなくなり、報知手段は作動停止する。
【００２７】
そして、前記整流樋２０の一方の球通路へ送出された貯留球(遊技球)１６が賞球として前記払出し装置１４から払出され、他方の球通路へ送出された貯留球(遊技球)１６が貸し球として該払出し装置１４から払出される前提において、前記球補給設備の不具合や球詰り等に起因して球タンク１８への遊技球の供給が停止することで、例えば図６に示すように、前記一方の球通路側の貯留球(遊技球)１６が先に減少した場合には、対応する球感知操作部材２６の球受け部２６ｃが貯留球(遊技球)１６の圧力から解放されるので、該球感知操作部材２６がコイルバネ５４の付勢力のもとに第１位置に変位し、検出スイッチ３０のアクチュエータレバー３０ｂが該部材２６の操作部２６ｂにより操作状態となって「球無し(オン)条件」とされる。従って、検出スイッチ３０からの球無し信号が制御装置へ入力され、前記報知手段が作動することで、遊技者またはパチンコホールの店員に球無し状態が発生したことが報知される。そして、前述した球補給設備の不具合や球詰り等の異常事態を解消することで球タンク１８への遊技球の供給が行なわれ、貯留球(遊技球)１６の増加により球感知操作部材２６の球受け部２６ｃに球圧が再び付加されると、該球感知操作部材２６は第２位置に揺動変位するので「球有り(オフ)条件」となり、前記報知手段は作動停止する。
【００２８】
なお、他方の球通路側の貯留球(遊技球)１６が先に減少した場合においても、前述したと同様に、対応する球感知操作部材２６の第２位置から第１位置への変位により、前記操作部２６ｂにより検出スッチ３０のアクチュエータレバー３０ｂが押圧操作されて、球無し信号が制御装置へ入力されることで報知手段が作動する。すなわち、実施例では２つ(複数)の球通路の何れか一方において遊技球の供給が停止したときには、対応する球感知操作部材２６の操作部２６ｂが共通の検出スイッチ３０のアクチュエータレバー３０ｂを押圧するよう構成されているから、１つの検出スイッチ３０で両方の球通路の状態を検出することができる。従って、夫々の球通路に対応して設けられた球感知操作部材２６毎に検出スイッチ３０を夫々設ける必要はなく、コストを抑えることができる。
【００２９】
前記検出スイッチ３０が接触不良等の故障を発生し、交換作業を要する場合は、前記球タンク１８の前壁面４２より前方に延出している前記取付けベース部材３２の操作摘み片６０を持って、該摘み片６０を弾性変形することで被係止部４２ｂと係止部６０ａとの係止状態を解除したもとで、該取付けベース部材３２を開口部４２ａから引抜いて収容空間部３４から抜き出す。そして、取付けベース部材３２から検出スイッチ３０を取外し、新しい検出スイッチ３０を該ベース部材３２に係合保持したもとで、前述したようにして開口部４２ａから収容空間部３４に収容セットする。すなわち、検出スイッチ３０が係合保持されている取付けべース部材３２は、前記ケース部材２８とは別体で取り扱うことができるから、球感知操作部材２６,２６が配設されているケース部材２８を球タンク１８から取外すことなく、検出スイッチ３０の交換作業を簡単に行ない得る。また検出スイッチ３０のみを交換することができるから、交換に要するコストを低廉に抑制することができる。
【００３０】
しかも、取付けベース部材３２は球タンク１８に対してネジ等の固定手段を用いることなく位置決めされているから、固定手段の締付けや緩み外し等の作業は必要なく、交換に要する時間を短縮することができる。更に、検出スイッチ３０に接続する配線は、取付けベース部材３２が挿脱される開口部４２ａから外部に導出されるものであるから、該配線が取付けベース部材３２の挿脱に際して邪魔となることはなく、作業性は向上する。なお、前記収容空間部３４に対して取付けベース部材３２を挿脱する際は、前記ケース部材２８に形成した案内部５６ａで案内されるから、円滑に作業を行ない得る。
【００３１】
〔変更例〕
本願は前述した実施例の構成に限定されるものでなく、その他の構成を適宜に採用することができる。
１．実施例では、検出スイッチを係合保持した取付けベース部材を球タンクに配設する場合で説明したが、貯留部としての整流樋に配設するようにしてもよい。例えば、球タンクにおける球出口の下方に臨む整流樋の底面に通孔を開設し、該整流樋に揺動自在に配設した球感知操作部材の球受け部が該通孔を出没するよう構成する。そして、球感知操作部材は、該球受け部の先端が常にはコイルバネの付勢力によって上方に突出する第１位置に臨み、該整流樋に貯留される貯留球の球圧を球受け部が受けることで該球受け部の先端が通孔下方に没する第２位置に変動するようにする。この前提において、整流樋の前壁面(壁面)に開設した開口部から検出スイッチを係合保持した取付けベース部材を、該整流樋に内部画成されて操作部としても機能する前記球受け部が位置する収容空間部に対して挿脱自在に収容セットし得るよう構成し、該球受け部でアクチュエータレバーを操作するようにする。
２．実施例では、取付ベース部材に検出スイッチを係合保持する保持部として、保持ピンを挙げたが、該スイッチを係合保持し得るものであれば、弾性変形可能な係合フック等、各種の手段を採用し得る。
３．実施例では、ケース部材に２つの球感知操作部材を配設した場合で説明したが、該操作部材は１つあるいは３つ以上であってもよい。
４．検出スイッチに関しては、実施例に示した常開タイプの他に、常閉タイプのものとしてもよい。
５．また検出スイッチに関しては、実施例のマイクロ(リミット)スイッチタイプに限らず、リードスイッチタイプ、ホール素子タイプ、フォトセンサタイプ等、各種のタイプが適宜に採用可能である。
【００３２】
〔付記〕
本発明に係る遊技機における検出スイッチの取付構造は、以下に示す具体的構成に限定することが可能である。
【００３３】
〔付記１〕
請求項１または２記載の遊技機における検出スイッチの取付構造に関しては、前記収容空間部には、前記取付けベース部材を案内する案内部が、該取付けベース部材の挿脱方向に沿って延在するよう形成されるようにする。
そして、この付記１の構成によれば、収容空間部に設けた案内部が、取付けベース部材を収容空間部に対して挿脱する際の案内となり、取付けおよび取外し作業が容易となる作用効果を奏する。
【００３４】
〔付記２〕
遊技機における検出スイッチの取付構造に関し、遊技球を貯留球として貯留し得る球タンクが遊技機裏側の機構セット盤に配設されると共に、該球タンク内における貯留球の有無を検出し得る検出スイッチを備える遊技機において、
前記検出スイッチを係合保持する保持部を有する取付けベース部材と、
前記球タンクの一端側に形成された取付部に取付けられるケース部材と、
前記ケース部材に軸支され、貯留球の球圧を受けない第１位置と該球圧を受けた第２位置とに変動する球感知操作部材と、
前記ケース部材に配設されて、前記球感知操作部材を常には第１位置に向けて付勢する付勢部材と、
前記ケース部材に画成され、前記検出スイッチが係合保持された取付けべース部材が収容セット可能な収容空間部と、
前記収容空間部に対応する球タンクの壁面に開設されて外部と収容空間部とを連通し、前記取付けベース部材が挿脱可能な開口部と、
前記球感知操作部材に形成され、前記収容空間部に位置する操作部とからなり、
前記検出スイッチを係合保持した取付けべース部材を開口部から前記収容空間部に挿入して収容セットすることで、該検出スイッチの検出部が、前記球感知操作部材における第１位置と第２位置との変動に際して前記操作部で操作可能な位置に位置決めされるよう構成する。
そして、この付記２の構成によれば、貯留球の有無を検出する検出スイッチを係合保持した取付けベース部材を、球タンクの壁面に開設した開口部から収容空間部に挿入して収容セットすることで、該検出スイッチを球タンクに配設した球感知操作部材により操作可能な位置に容易に位置決決めすることができる。すなわち、検出スイッチの取付けおよび取外しは、球タンクの開口部に対して取付けベース部材を挿脱するだけの簡単な操作で行なうことができるから、該スイッチの交換作業を簡素化し得る。また、ケース部材に球感知操作部材や付勢部材を設けると共に収容空間部を画成したから、複数の部品をケース部材単位で取扱うことができ、その取扱いが容易となる。更に、球タンクに取付けられたケース部材の収容空間部は、球タンクの壁面に開設した開口部を介して外部と連通するよう構成してあるから、該開口部を介して取付けベース部材を収容空間部に挿入するだけで、検出スイッチを所定位置に位置決めすることができる。
【図面の簡単な説明】
【００３５】
【図１】実施例に係る遊技機における検出スイッチの取付構造を、球タンクからケース部材および検出スイッチを取外した状態で示す要部概略斜視図である。
【図２】実施例に係る遊技機における検出スイッチの取付構造が採用されるパチンコ機を示す概略背面図である。
【図３】実施例に係る遊技機における検出スイッチの取付構造を、球タンクから検出スイッチを取外した状態で示す要部概略斜視図である。
【図４】実施例に係る球タンクに検出スイッチを配設した状態において、球感知操作部材が第１位置に変位している状態で示す要部断面図である。
【図５】実施例に係る球タンクに検出スイッチを配設した状態において、球感知操作部材が第２位置に変位している状態で示す要部断面図である。
【図６】実施例に係るケース部材に検出スイッチを配設した状態において、一方の球感知操作部材が第１位置に変位し、他方の球感知操作部材が第２位置に変位している状態で示す側面図である。
【図７】実施例に係るケース部材に検出スイッチを配設した状態において、両球感知操作部材が第２位置に変位している状態で示す側面図である。
【図８】実施例に係る取付けベース部材から検出スイッチを取外した状態を示す概略斜視図である。
【符号の説明】
【００３６】
１６ 遊技球(貯留球)，１８ 球タンク(貯留部)，２０ 整流樋(貯留部)
２６ 球感知操作部材，２６ｂ 操作部，３０ 検出スイッチ
３０ｂ アクチュエータレバー(検出部)，３２ 取付けベース部材，３４ 収容空間部
４２ 前壁面(壁面)，４２ａ 開口部，４２ｂ 被係止部，６０ 操作摘み片
６０ａ 係止部，６２ 保持ピン(保持部)，Ｃ 機構セット盤
【図１】
2006116354.tif 000003
【図２】
2006116354.tif 000004
【図３】
2006116354.tif 000005
【図４】
2006116354.tif 000006
【図５】
2006116354.tif 000007
【図６】
2006116354.tif 000008
【図７】
2006116354.tif 000009
【図８】
2006116354.tif 000010